(57)【要約】【課題】無菌の袋詰め製品を効率よく製造する。【解決手段】多数の注出口部材（２）を入れた通気性のある注出口部材収納容器（４）を、殺菌チャンバー（５）内に入れ、殺菌チャンバーに対する真空化と、過酸化水素のガスの導入と、無菌エアの導入とを順に行うことによって注出口部材を注出口部材収納容器と共に殺菌処理する注出口部材殺菌工程と、殺菌処理後の注出口部材を注出口部材収納容器ごと無菌包装チャンバー（６）内に導入し、注出口部材収納容器から注出口部材を送り出す注出口部材供給工程と、袋用連続シート（７）を走行させつつ過酸化水素水で殺菌した後、上記無菌包装チャンバー内に導入し、製袋しつつ上記殺菌処理後の注出口部材を袋（１）ごとに固定する製袋工程と、製袋された袋に内容物を充填する充填工程と、内容物が充填された袋を密封する密封工程とを有する無菌袋詰め方法である。【選択図】図２
2017036055.tif 000002
【特許請求の範囲】
【請求項１】
多数の注出口部材を入れた通気性のある注出口部材収納容器を、殺菌チャンバー内に入れ、殺菌チャンバーに対する真空化と、過酸化水素のガスの導入と、無菌エアの導入とを順に行うことによって注出口部材を注出口部材収納容器と共に殺菌処理する注出口部材殺菌工程と、殺菌処理後の注出口部材を注出口部材収納容器ごと無菌包装チャンバー内に導入し、注出口部材収納容器から注出口部材を送り出す注出口部材供給工程と、袋用連続シートを走行させつつ過酸化水素水で殺菌した後、上記無菌包装チャンバー内に導入し、製袋しつつ上記殺菌処理後の注出口部材を袋ごとに固定する製袋工程と、製袋された袋に内容物を充填する充填工程と、内容物が充填された袋を密封する密封工程とを包含してなることを特徴とする無菌袋詰め方法。
【請求項２】
請求項１に記載の無菌袋詰め方法において、充填工程では、注出口部材から袋内に内容物を充填し、密封工程では、注出口部材の開口を塞ぐことを特徴とする無菌袋詰め方法。
【請求項３】
請求項２に記載の無菌袋詰め方法において、密封工程では、注出口部材の開口をあらかじめ殺菌処理された易開封シートで塞ぐか又はあらかじめ殺菌処理されたキャップで塞ぐことを特徴とする無菌袋詰め方法。
【請求項４】
請求項１に記載の無菌袋詰め方法において、充填工程では、袋の未シール部から内容物を充填し、密封工程では、未シール部をシールすることを特徴とする無菌袋詰め方法。
【請求項５】
多数の注出口部材が収納される通気性のある注出口部材収納容器と、室内に上記注出口部材収納容器が収納された後、室内に対する真空化と、過酸化水素のガスの導入と、無菌エアの導入とが順に行われることによって注出口部材を上記注出口部材収納容器ごと殺菌処理する殺菌チャンバーと、上記殺菌チャンバー内から殺菌処理された後の注出口部材収納容器が搬入される無菌包装チャンバーと、上記無菌包装チャンバー内で上記注出口部材収納容器から注出口部材を送り出す注出口部材供給手段と、袋用連続シートを走行させつつ過酸化水素水で殺菌した後、上記無菌包装チャンバー内に導入し、製袋しつつ上記殺菌処理後の注出口部材を袋ごとに固定する製袋手段と、製袋手段により製袋された袋を上記無菌包装チャンバー内で搬送する搬送手段と、搬送手段により搬送される袋に内容物を充填する充填手段と、内容物が充填された袋を密封する密封手段とを具備することを特徴とする無菌袋詰め装置。
【請求項６】
請求項５に記載の無菌袋詰め装置において、充填手段は、注出口部材から袋内に内容物を充填可能であり、密封手段は、注出口部材をシール可能であるか又はキャッピング可能であることを特徴とする無菌袋詰め装置。
【請求項７】
請求項５に記載の無菌袋詰め装置において、充填手段は、袋の未シール部を拡開したうえで未シール部から袋内に内容物を充填可能であり、密封手段は、未シール部をシール可能であることを特徴とする無菌袋詰め装置。
【発明の詳細な説明】
【技術分野】
【０００１】
本発明は、無菌袋詰め方法及び装置に関する。
【背景技術】
【０００２】
袋は、リクローズ性、携帯性、使用後の減容化等に優れていることから、液状飲料、ゼリー状飲料、流動食品等の無菌包装に適する。
【０００３】
従来、飲料等の無菌袋詰め製品の製造は、例えば特許文献１に記載されるような手順で行われている。
【０００４】
まず、袋が合成樹脂等で出来たシートをヒートシール等することによって作られる。この袋の一部は、中身である内容物の充填口とするために未シール部とされる。製袋された袋は、多数のものが集積されて外装体内に詰め込まれ、密封される。そして、外装体の全体にガンマ線が照射され、袋の内外面を含む外装体内の全体が殺菌処理される。
【０００５】
その後、外装体に包装された袋は、外装体ごと無菌充填機の前室である殺菌室内に取り込まれ、殺菌室にて外装体の外面が殺菌される。外装体は、殺菌室内で殺菌された後、殺菌室に隣接する充填室内に移送され、開封され、外装体から袋が取り出され、袋が一枚ずつターレットの旋回アームにセットされる。この外装体の開封から旋回アームへの袋のセットは、チャンバーに取り付けられた手袋を介するオペレーターの操作によって行われる。
【０００６】
旋回アームはチャンバー内で自動的に旋回運動が可能であり、その旋回円の回りには、袋の未シール部を開く開口手段、開口手段により開けられた開口から飲料等の内容物を袋内に充填する充填手段、充填手段による内容物の充填後に袋の未シール部をシールする密封手段等が配置される。
【０００７】
旋回アームにセットされた袋は、旋回アームと共に旋回しつつ、内容物を充填され、密封されて無菌袋詰め製品とされた後、チャンバー外に取り出される。
【０００８】
また、特許文献２に記載されるような手順で製造される場合もある。
【０００９】
これは連続充填包装方法であり、帯状フィルムを送りながら口栓を帯状フィルムに融着させ、帯状フィルムを殺菌液に浸漬させ、帯状フィルムに温風を吹き付けて帯状フィルム及び口栓に付着した殺菌液を乾燥させ、しかる後に製袋しつつ内容物を袋内に充填するとともに袋を密封しようというものである。
【先行技術文献】
【特許文献】
【００１０】
【特許文献１】特開２００２−６８１４３号公報
【特許文献２】特開２０１３−１１６７４８号公報
【発明の概要】
【発明が解決しようとする課題】
【００１１】
前者の無菌袋詰め方法は、袋をγ線で殺菌することから、袋から異臭が発生しやすいという問題がある。γ線以外に酸化エチレンガス（ＥＯＧ）を用いて袋を殺菌することも考えられるが、その場合は酸化エチレンガス成分が袋内に残留しやすく、また、殺菌処理に長時間を要するという問題がある。また、オペレーターがチャンバー内で手袋を介した手作業によって外装体を開封し、袋を一枚ずつ外装体から取り出して旋回アームにセットしなければならないので、無菌袋詰め製品の製造効率が悪いという問題がある。
【００１２】
後者の無菌袋詰め方法は、フィルムに口栓を付着させた状態で殺菌するので、殺菌が不完全になったり、殺菌液が残留したりするおそれがあるという問題がある。また、走行するフィルムに口栓を仮止めした後に製袋することから、袋における口栓の位置や袋の形態に制限があるという問題がある。
【００１３】
従って、本発明は上記問題点を解決することを課題とする。
【課題を解決するための手段】
【００１４】
上記課題を解決するため、本発明は次のような構成を採用する。
【００１５】
なお、本発明の理解を容易にするため参照符号をカッコ書きで付するが、本発明はこれに限定されるものではない。
【００１６】
すなわち、請求項１に係る発明は、多数の注出口部材（２）を入れた通気性のある注出口部材収納容器（４）を、殺菌チャンバー（５）内に入れ、殺菌チャンバー（５）に対する真空化と、過酸化水素のガスの導入と、無菌エアの導入とを順に行うことによって注出口部材（２）を注出口部材収納容器（４）と共に殺菌処理する注出口部材殺菌工程と、殺菌処理後の注出口部材（２）を注出口部材収納容器（４）ごと無菌包装チャンバー（６）内に導入し、注出口部材収納容器（４）から注出口部材（２）を送り出す注出口部材供給工程と、袋用連続シート（７）を走行させつつ過酸化水素水で殺菌した後、上記無菌包装チャンバー（６）内に導入し、製袋しつつ上記殺菌処理後の注出口部材（２）を袋（１）ごとに固定する製袋工程と、製袋された袋（１）に内容物を充填する充填工程と、内容物が充填された袋（１）を密封する密封工程とを包含してなる無菌袋詰め方法を採用する。
【００１７】
請求項２に記載されるように、請求項１に記載の無菌袋詰め方法において、充填工程では、注出口部材（２）から袋（１）内に内容物を充填し、密封工程では、注出口部材（２）の開口を塞ぐことも可能である。
【００１８】
請求項３に記載されるように、請求項２に記載の無菌袋詰め方法において、密封工程では、注出口部材（２）の開口をあらかじめ殺菌処理された易開封シート（２ｄ）で塞ぐか又はあらかじめ殺菌処理されたキャップ（２ｅ）で塞ぐことも可能である。
【００１９】
請求項４に記載されるように、請求項１に記載の無菌袋詰め方法において、充填工程では、袋（１）の未シール部（１ｅ）から内容物を充填し、密封工程では、未シール部（１ｅ）をシールすることも可能である。
【００２０】
また、請求項５に係る発明は、多数の注出口部材（２）が収納される通気性のある注出口部材収納容器（４）と、室内に上記注出口部材収納容器（４）が収納された後、室内に対する真空化と、過酸化水素のガスの導入と、無菌エアの導入とが順に行われることによって注出口部材（２）を上記注出口部材収納容器（４）ごと殺菌処理する殺菌チャンバー（５）と、上記殺菌チャンバー（５）内から殺菌処理された後の注出口部材収納容器（４）が搬入される無菌包装チャンバー（６）と、上記無菌包装チャンバー（６）内で上記注出口部材収納容器（４）から注出口部材（２）を送り出す注出口部材供給手段と、袋用連続シート（７）を走行させつつ過酸化水素水で殺菌した後、上記無菌包装チャンバー（６）内に導入し、製袋しつつ上記殺菌処理後の注出口部材（２）を袋（１）ごとに固定する製袋手段と、製袋手段により製袋された袋（１）を上記無菌包装チャンバー（６）内で搬送する搬送手段と、搬送手段により搬送される袋（１）に内容物を充填する充填手段と、内容物が充填された袋（１）を密封する密封手段とを具備する無菌袋詰め装置を採用する。
【００２１】
請求項６に記載されるように、請求項５に記載の無菌袋詰め装置において、充填手段は、注出口部材（２）から袋（１）内に内容物を充填可能であり、密封手段は、注出口部材（２）をシール可能であるか又はキャッピング可能であるものとすることも可能である。
【００２２】
請求項７に記載されるように、請求項５に記載の無菌袋詰め装置において、充填手段は、袋（１）の未シール部（１ｅ）を拡開したうえで未シール部（１ｅ）から袋（１）内に内容物を充填可能であり、密封手段は、未シール部（１ｅ）をシール可能であるものとすることも可能である。
【発明の効果】
【００２３】
本発明によれば、袋（１）を過酸化水素で殺菌することから、従来のγ線により袋（１）を殺菌する場合と異なり、袋（１）から異臭が発生するような不都合がない。また、従来の酸化エチレンガスを用いて袋（１）を殺菌する場合と異なり、（１）内に酸化エチレンガス成分が残留したり、殺菌処理に長時間を要したりするという不都合がない。さらに、注出口部材（２）と袋用連続シート（７）を別々に殺菌し、無菌包装チャンバー（６）内で合体させて製袋するので、袋全体としての殺菌性を高めることができ、袋（１）における過酸化水素の残留を防止することができる。
【図面の簡単な説明】
【００２４】
【図１】袋の第一の例を示す図であり、（Ａ）は内容物充填前における未封状態の袋の正面図、（Ｂ）は内容物充填後における密封状態の袋の正面図である。
【図２】図１（Ａ）に示す袋を使用する無菌袋詰め装置の一例の模式平面図である。
【図３】図２に示した無菌袋詰め装置の模式正面図である。
【図４】無菌袋詰め装置の他の例の模式平面図である。
【図５】図４に示した無菌袋詰め装置の模式正面図である。
【図６】袋の他の例を示す図であり、（Ａ）は内容物充填前における未封状態の袋の正面図、（Ｂ）は内容物充填後における密封状態の袋の正面図である。
【図７】図６（Ａ）に示す袋を使用する無菌袋詰め装置の模式平面図である。
【図８】図７に示した無菌袋詰め装置の模式正面図である。
【発明を実施するための形態】
【００２５】
以下に本発明の実施の形態について説明する。
【００２６】
＜実施の形態１＞
最初に、この無菌袋詰め方法及び装置によって作られる未封状態の袋と、密封状態の袋とについて説明する。
【００２７】
図１（Ａ）に示すように、未封状態の袋１は、前後二枚のシート３，３が重ね合わせられ、それらの上下辺と左右辺の三辺が上横ヒートシール部１ａ、下横ヒートシール部１ｄ、左縦ヒートシール部１ｂ及び右縦ヒートシール部１ｃによって閉じられることによって形成される。
【００２８】
袋１を構成するシート３，３は、樹脂の単層からなるもの、異種類の樹脂層が積層されたもの、アルミニウムフォイル等の金属層が樹脂層とともに積層されたもの等が適宜使用される。
【００２９】
なお、袋１は、必ずしも二枚のシート３，３で出来たものでなくてもよい。一枚のシートを二つ折りしたものであってもよい。
【００３０】
注出口部材２は、ポリプロピレン等の樹脂の射出成形等により筒状に形成される。注出口部材２が袋１の上横ヒートシール部１ａに挟み込まれることによって、注出口部材２が袋１の上辺に固定される。注出口部材２を通して、袋１の内外が導通可能となり、内容物を袋１内に充填可能となり、袋１内の内容物を袋１外に注出可能となる。
【００３１】
注出口部材２の外側には、上横ヒートシール部１ａに対応する箇所においてヒートシール用フランジ２ｂが形成され、このヒートシール用フランジ２ｂがヒートシールによってシート３，３に密着する。注出口部材２におけるヒートシール用フランジ２ｂよりも上側には支持用フランジ２ｃが形成される。後述するように、袋１を各種処理に付する際に、この支持用フランジ２ｃを介して袋１が各種機器に保持される。
【００３２】
この実施の形態１の場合、注出口部材２の袋外側における開口は、内容物の充填前は未だ易開封シート２ｄで密封されていない。また、キャップ２ｅも注出口部材２に螺合していない。これにより、袋１は未封状態にある。
【００３３】
この図１（Ａ）に示した袋１は、図２及び図３に示す無菌袋詰め装置内で作られ、直ちに図１（Ｂ）に示すような無菌袋詰め製品とされる。
【００３４】
無菌袋詰め装置では、次に示す工程（Ｉ）〜（Ｖ）を経て図１（Ｂ）に示すような無菌の袋詰め製品が作られる。
【００３５】
（Ｉ）多数の注出口部材２を入れた通気性のある注出口部材収納容器４を、殺菌チャンバー５内に入れ、殺菌チャンバー５に対する真空化と、過酸化水素のガスの導入と、無菌エアの導入とを順に行うことによって注出口部材２を注出口部材収納容器５と共に殺菌処理する注出口部材殺菌工程。
【００３６】
（ＩＩ）殺菌処理後の注出口部材２を注出口部材収納容器４ごと無菌包装チャンバー６内に導入し、注出口部材収納容器４から注出口部材２を送り出す注出口部材供給工程。
【００３７】
（ＩＩＩ）袋用連続シート７を走行させつつ過酸化水素水で殺菌した後、上記無菌包装チャンバー６内に導入し、製袋しつつ上記殺菌処理後の注出口部材２を袋１ごとに固定する製袋工程。
【００３８】
（ＩＶ）製袋された袋１に内容物を充填する充填工程。
【００３９】
（Ｖ）内容物が充填された袋１を密封する密封工程。
【００４０】
上記工程Ｉで使用するために用意される図２及び図３に示した注出口部材収納容器４は、多数の注出口部材２を収納可能な入れ物である。この場合の注出口部材２は、袋１に取り付けられる以前の状態にあり、易開封シート２ｄ及びキャップ２ｅが未着状態にある。注出口部材収納容器４は、過酸化水素のガスが外側から侵入しやすいように、カゴ等のごとき通気性のある入れ物として構成される。入れ物の形態としては、箱状のものであっても皿状のものであってもよい。
【００４１】
図２及び図３に示すように、殺菌チャンバー５は、工程ＩＩで使用される無菌包装チャンバー６の一端に接続される。殺菌チャンバー５の相対向する一対の壁には開閉可能なシャッター５ａ，５ｂが設けられ、そのうち片方のシャッター５ｂは無菌包装チャンバー６との境に設けられる。
【００４２】
上記注出口部材収納容器４は、一方のシャッター５ａが開けられることにより殺菌チャンバー５内へと搬入コンベア８によって搬入され、両シャッター５ａ，５ｂが閉じられることにより殺菌チャンバー５内に閉じ込められる。そして、注出口部材収納容器４及び注出口部材収納容器４内に装填された注出口部材２の殺菌が行われる。ただし、この実施の形態１では、注出口部材２に易開封シール２ｄ及びキャップ２ｅが未だ取り付けられていない。
【００４３】
殺菌チャンバー５内での注出口部材２等の殺菌は、より詳しくは、次のようにして行われる。
【００４４】
（ａ）まず、殺菌チャンバー５内が図示しない真空ポンプによって真空域まで減圧されたうえで、過酸化水素のガスが殺菌チャンバー５内に導入される。これにより、過酸化水素のガスが殺菌チャンバー５内で拡散する。
【００４５】
（ｂ）殺菌チャンバー５内に無菌化した大気を導入して、殺菌チャンバー５内で上記過酸化水素のガスを液体に凝結させる。これにより、過酸化水素のガスが注出口部材収納容器４や、注出口部材収納容器４内に装填された注出口部材２の全表面へと行き渡ったうえで液化する。
【００４６】
（ｃ）殺菌チャンバー５内が上記真空ポンプによって真空域まで減圧されることにより、殺菌チャンバー５内から排気される。これにより、注出口部材収納容器４や、注出口部材収納容器４内に装填された注出口部材２の隅々に行き渡って液化した上記過酸化水素が再びガス化する。この再度のガス化過程で注出口部材収納容器４や、注出口部材収納容器４内に装填された注出口部材２の表面が殺菌処理される。
【００４７】
（ｄ）上記（ａ）〜（ｃ）の工程が必要に応じて複数回繰り返される。複数回繰り返されることにより、殺菌効果が高められる。
【００４８】
（ｅ）上記（ｄ）の工程が終了した後、必要に応じて殺菌チャンバー５内が換気され、殺菌チャンバー５内から残留過酸化水素が除去される。
【００４９】
なお、殺菌チャンバー５としては市販品を利用することができるので、その詳細な説明は省略する。
【００５０】
図２及び図３に示すように、上記殺菌チャンバー５には、上記工程ＩＩで使用される無菌包装チャンバー６が隣設される。
【００５１】
殺菌チャンバー５内での殺菌処理が完了すると、無菌包装チャンバー６側のシャッター５ｂが開いて、注出口部材収納容器４が注出口部材２を収納した状態のままで無菌包装チャンバー６内に導入される。この導入作業は、殺菌チャンバー５内に設置された搬出コンベア９によって行われる。
【００５２】
無菌包装チャンバー６内には、図示しないが、過酸化水素等の殺菌剤を噴霧する殺菌剤噴霧ノズル、無菌エアを吐出する無菌エア吐出ノズル等が配置される。無菌包装チャンバー６内での無菌充填に先立ち、殺菌剤噴霧ノズルから過酸化水素等が噴霧されることにより、無菌包装チャンバー６内が殺菌処理され、殺菌処理後に無菌エア吐出ノズルから無菌エアが吐出されることにより、無菌包装チャンバー６内が陽圧に保たれ、無菌袋詰め製品の製造中、外部からの微生物等の侵入が阻止される。
【００５３】
無菌包装チャンバー６内における殺菌チャンバー５のシャッター５ｂに隣接した箇所には、搬送コンベア１０が配置される。搬送コンベア１０は、上記搬出コンベア９と交差する方向に伸び、搬出コンベア９によって無菌包装チャンバー６内に搬入された注出口部材収納容器４を搬送コンベア１０の両端と中央との三位置間で搬送可能である。
【００５４】
上記注出口部材供給工程ＩＩに対応して、注出口部材供給手段が無菌包装チャンバー６内に設けられる。
【００５５】
注出口部材供給手段は、具体的には、ロボット１１と、パーツフィーダー１２とで構成される。ロボット１１の動作により、搬送コンベア１０上の注出口部材収納容器４から注出口部材２が所定個数ずつ取り出され、パーツフィーダー１２へ渡される。パーツフィーダー１２はロボット１１から注出口部材２を受け取る円盤状の受け台を有し、この受け台が振動しつつ注出口部材２を整列状態で次の製袋工程ＩＩＩへと供給する。
【００５６】
上記製袋工程ＩＩＩに対応して、製袋手段である製袋機が無菌包装チャンバー６内に設けられる。
【００５７】
製袋機は、袋用連続シート７の供給部と、袋用連続シート７から袋１を作りながら注出口部材２を各袋１に装着する製袋部とを具備する。
【００５８】
袋用連続シート７の供給部は、無菌包装チャンバー６の外部に配置され、袋用連続シート７を巻き取った繰出しロール７ａと、この繰出しロール７ａから繰り出される袋用連続シート７に過酸化水素水を塗布して殺菌する過酸化水素水の貯留槽１３と、袋用連続シート７が貯留槽１３から無菌包装チャンバー６内へと入る経路を覆う無菌チャンバー１４とを備える。
【００５９】
袋用連続シート７の供給部において、袋用連続シート７が製袋部側からの牽引力により繰出しロール７ａから引き出され、貯留槽１３内を通過しつつ表裏両面に過酸化水素水を塗布される。袋用連続シート７は、過酸化水素水の塗布後、図示しないノズルからのホットエア等の吹き付けによって表面から過酸化水素が除去される。これにより、袋用連続シート７は殺菌され、無菌包装チャンバー６内へと導入される。
【００６０】
製袋部は、上記殺菌された袋用連続シート７を走行させつつ、図示しない各種ヒートシーラーによって図１（Ａ）に示した各種ヒートシール部１ａ，１ｂ，１ｃ，１ｄを形成するとともに、所定のヒートシール部１ａを形成する際に注出口部材２を同時にシート３，３側に溶着させ、その後、図示しないカッターによって袋１ごとに切断するようになっている。
【００６１】
この製袋部によって、図１（Ａ）に示すような未封状態の袋１が無菌包装チャンバー６内で作られる。
【００６２】
なお、製袋部の構造は、市販の製袋機と同様であるから、詳細な説明は省略する。
【００６３】
上記充填工程ＩＶ及び密封工程Ｖに対応して、上記製袋された袋１を無菌包装チャンバー６内で搬送する搬送手段と、搬送される袋１に内容物を充填する充填手段と、内容物が充填された袋１を密封する密封手段とが設けられる。
【００６４】
袋１の搬送手段として、無菌包装チャンバー６内の略中央に、ロボット１５と、水平面内で旋回運動をするターレット１６とが設けられる。
【００６５】
ロボット１５は、無菌包装チャンバー６内において製袋機の完成袋搬出部の近傍に設けられる。このロボット１５によって、製袋機により作られた図１（Ａ）に示したような袋１が逐次取り出される。
【００６６】
また、ロボット１５の近傍にターレット１６が設けられ、ロボット１５によって、製袋機から取り出された袋１がこのターレット１６に受け渡される。
【００６７】
ターレット１６は、所定角度で配置された複数本の旋回アームを有し、各旋回アームの先端には、注出口部材２の支持用フランジ２ｃ又はその近傍を掴むことにより袋１を正立状態で保持するクランパ１６ａが設けられる。ターレット１６は隣り合う旋回アーム間の角度ずつ矢印方向に間欠回転可能であり、これにより各クランパ１６ａは各ステーションで一時停止可能である。
【００６８】
ターレット１６の周りには、上記ロボット１１の位置からターレット１６の回転方向に見て、所定の各ステーションに、クランパ１６ａに保持された袋１に内容物を充填する充填手段と、内容物が充填された袋１を密封する密封手段と、密封された袋１である無菌の袋詰め製品をターレット１６から受け取って無菌包装チャンバー６外へと搬出する搬出用コンベア１７とが順次設けられる。
【００６９】
充填手段は、クランパ１６ａにより保持された袋１内に、その注出口部材２の開口から内容物を定量ずつ充填する充填ノズル１８として構成される。
【００７０】
密封手段は、易開封シート２ｄの供給部と、易開封シート２ｄを注出口部材２の開口にシールするシール部とを具備する。
【００７１】
易開封シート２ｄの供給部は、無菌包装チャンバー６の外部に配置され、易開封シート２ｄの連続シートを巻き取った繰出しロール１９ａと、この繰出しロール１９ａから繰り出される連続シート１９に過酸化水素水を塗布して殺菌する過酸化水素水の貯留槽２０と、連続シート１９が貯留槽２０から無菌包装チャンバー６内へと入る経路を覆う無菌チャンバー２１とを備える。
【００７２】
易開封シート２ｄの供給部において、連続シート１９が図示しないニップローラの駆動により繰出しロール１９から引き出され、貯留槽２０内を通過しつつ表裏両面に過酸化水素水を塗布される。連続シート１９は、過酸化水素水の塗布後、図示しないノズルからのホットエア等の吹き付けによって表面から過酸化水素が除去される。これにより、連続シート１９は殺菌され、無菌包装チャンバー６内へと導入される。
【００７３】
シール部は、図示しないが、無菌包装チャンバー６内に導入された連続シート１９を注出口部材２の開口に加熱圧着により接着する加熱盤と、注出口部材２の開口に接着されたシート部分を連続シート１９から切り離すか又は打ち抜くカッターとを具備する。
【００７４】
この加熱盤とカッターの作用によって、注出口部材２の開口が易開封シート２ｄで閉じられ、これにより、内容物が充填された袋１が密封される。
【００７５】
次に、上記無菌袋詰め装置の作用について説明する。
【００７６】
（１）図１（Ａ）に示した注出口部材２が、袋１に装着される前の状態で、図２及び図３に示す注出口部材収納容器４内に多数個入れられる。
【００７７】
（２）殺菌チャンバー５の入り口側のシャッター５ａが開けられ、図２及び図３に示すように、注出口部材収納容器４が殺菌チャンバー５内に入れられた後、シャッター５ａが閉じられる。これにより、殺菌チャンバー５が密閉される。
【００７８】
（３）上記（ａ）〜（ｅ）の工程が実施されることにより、注出口部材収納容器４内の注出口部材２が、注出口部材収納容器４ごとむらなく殺菌される。
【００７９】
（４）殺菌チャンバー５内での殺菌処理が終了すると、無菌包装チャンバー６側のシャッター５ｂが開き、搬出コンベア９によって注出口部材収納容器４が無菌包装チャンバー６内に移送される。その後、シャッター５ｂが閉じられる。
【００８０】
無菌包装チャンバー６内は、あらかじめ過酸化水素の噴霧等により殺菌処理され、その後吹き込まれる無菌エアによって陽圧に保たれている。
【００８１】
注出口部材収納容器４は、まず、図２中、搬送コンベア１０上の位置Ｉに載せられる。
【００８２】
次に、搬送コンベア１０の作動により、注出口部材収納容器４が位置IIへと搬送され停
止する。
【００８３】
（５）ロボット１１により、搬送コンベア１０上の注出口部材収納容器４から注出口部材が所定個数ずつ取り出され、パーツフィーダー１２へ送られる。
【００８４】
（６）一方、注出口部材２の殺菌処理等と並行して、製袋機によって、袋用連続シート７から袋１が無菌包装チャンバー６内において無菌状態で製造される。
【００８５】
この製袋機の製袋部に、上記パーツフィーダー１２から注出口部材２が供給され、製袋部において注出口部材２が袋１に装着される。これにより、図１（Ａ）、図２及び図３に示す袋１が製造され、順々に排出される。
【００８６】
この袋１は、ロボット１５によってターレット１６へ渡される。
【００８７】
（７）ターレット１６はロボット１５から渡される袋１を旋回アームのクランパ１６ａで受け取り、図２中矢印方向に旋回する。
【００８８】
袋１は、その注出口部材２が上向きとなった状態で注出口部材２の支持用フランジ２ｃ下がクランパ１６ａにより掴まれる。
【００８９】
（８）ターレット１６は所定角度ずつ間欠的に旋回し、クランパ１６ａで把持された袋１が一時停止すると、充填ノズル１８が袋１の注出口部材２の開口に正対し、又は注出口部材２内に侵入し、所定量の内容物を袋１内に充填する。
【００９０】
（９）上記クランパ１６ａが次の位置に停止すると、シール部によって、注出口部材２の開口が易開封シート２ｄで塞がれる。これにより、袋１が密封され、袋内が無菌状態に保持される。
【００９１】
（１０）上記クランパ１６ａが次の位置に停止すると、密封された袋１がクランパ１６ａから解放され、搬出用コンベア１７によって受け取られて無菌包装チャンバー６外へと搬出される。
【００９２】
（１１）無菌包装チャンバー６外へと搬出された袋１の注出口部材２に図示しないキャッパーによってキャップ２ｅが螺着される。
【００９３】
これにより、図１（Ｂ）に示す無菌の袋詰め製品が完成する。
【００９４】
なお、上記キャップ２ｅは、無菌包装チャンバー６内に殺菌処理した状態で供給し、無菌包装チャンバー６内で注出口部材２にキャッピングすることも可能である。
【００９５】
（１２）以後、上記（１）〜（１１）の動作が繰り返されて袋詰め製品の生産が続行される。
【００９６】
＜実施の形態２＞
この実施の形態２では、図４及び図５に示すように、実施の形態１における無菌包装チャンバー６内での易開封シート２ｄの装着が省略される。代わりに、無菌包装チャンバー６内でキャップ２ｅの装着が行われる。
【００９７】
図４に示すように、キャップ２ｅの殺菌処理のためにキャップ収納容器２２が用意される。キャップ収納容器２２は、注出口部材収納容器４と同様な構造である。
【００９８】
また、キャップ２ｅをキャップ収納容器２２ごと殺菌処理するための殺菌チャンバー２３が、無菌包装チャンバー６に接続される。殺菌チャンバー２３は、注出口部材２を殺菌するための殺菌チャンバー５と同様な構造であり、殺菌チャンバー２３の相対向する一対の壁には開閉可能なシャッター２３ａ，２３ｂが設けられ、そのうち片方のシャッター２３ｂは無菌包装チャンバー６との境に設けられる。
【００９９】
上記キャップ収納容器２２は、一方のシャッター２３ａが開けられることにより殺菌チャンバー２３内へと搬入コンベア２４によって搬入され、両シャッター２３ａ，２３ｂが閉じられることにより殺菌チャンバー２３内に閉じ込められる。そして、キャップ収納容器２２及びキャップ収納容器２２内に装填されたキャップ２ｅの殺菌が行われる。
【０１００】
殺菌チャンバー２３内でのキャップ２ｅの殺菌処理が完了すると、無菌包装チャンバー６側のシャッター２３ｂが開いて、キャップ収納容器２２がキャップ２ｅを収納した状態のままで無菌包装チャンバー６内に導入される。この導入作業は、殺菌チャンバー２３内に設置された搬出コンベア２５によって行われる。
【０１０１】
無菌包装チャンバー６内における殺菌チャンバー２３のシャッター２３ｂに隣接した箇所には、搬送コンベア２６が配置される。搬送コンベア２６は、上記搬出コンベア２５と交差する方向に伸び、搬出コンベア２５によって無菌包装チャンバー６内に搬入されたキャップ収納容器２２を搬送コンベア２６の両端と中央との三位置間で搬送可能である。
【０１０２】
搬送コンベア２６上のキャップ収納容器２２内からキャップ２ｅをターレット１６側で搬送される袋１の注出口部材２へと供給するキャップ供給手段として、ロボット２７と、パーツフィーダー２８とが設けられる。
【０１０３】
搬送コンベア２６上のキャップ収納容器２２内のキャップ２ｅは、ロボット２７によってキャップ収納容器２２内からパーツフィーダー２８へと移し替えられる。ロボット２７によってパーツフィーダー２８に供給されたキャップ２ｅは、ターレット１６側の所定のステーションに設置された図示しないキャッパーへと整列状態で送り出される。キャッパーに送られたキャップ２ｅは内容物が充填された袋１の注出口部材２にキャッパーによって螺着される。
【０１０４】
なお、キャッパーは、市販品であって公知であるからその詳細な説明は省略する。
【０１０５】
キャッパーによってキャッピングされることにより、図１（Ｂ）に示す袋１である無菌の袋詰め製品が完成し、この完成品は搬出用コンベア１７によって受け取られて無菌包装チャンバー６外へと搬出される。
【０１０６】
なお、実施の形態２において、実施の形態１の場合と同じ個所には同じ符号を付して示し、重複した説明を省略する。
【０１０７】
＜実施の形態３＞
この実施の形態３では、図６（Ａ）に示す未封状態の袋１が製袋機によって作られる。この袋１は前後二枚のシート３，３が重ね合わせられ、それらの上辺と左右辺の三辺が上横ヒートシール部１ａ、左縦ヒートシール部１ｂ及び右縦ヒートシール部１ｃによって閉じられることによって形成される。下辺は、後に飲料等の内容物を袋１内に充填する際の充填口とするために未シール部１ｅとされる。この未シール部１ｅは左右辺のいずれかに設定し、下辺を下横ヒートシール部１ｄによって閉じておくことも可能である。この未シール部１ｅは、内容物が袋１内に充填された後、図６（Ｂ）に示すように、下横ヒートシール部１ｄによって閉じられる。
【０１０８】
なお、袋１は、必ずしも二枚のシート３，３で出来たものでなくてもよい。一枚のシートを二つ折りしたものであってもよいし、チューブを扁平に押し潰したものであってもよい。
【０１０９】
袋１を構成するシート３，３は、樹脂の単層からなるもの、異種類の樹脂層が積層されたもの、アルミニウムフォイル等の金属層が樹脂層とともに積層されたものが適宜使用される。
【０１１０】
上横ヒートシール部１ａには注出口部材２が挟み込まれることによって、注出口部材２が袋１の上辺に固定される。注出口部材２は、ポリプロピレン等の樹脂の射出成形等により筒状に形成される。注出口部材２を通して、袋１の内外が導通可能となり、袋１内の内容物を袋１外に注出可能となる。
【０１１１】
注出口部材２の外側には、上横ヒートシール部１ａに対応する箇所においてヒートシール用フランジ２ｂが形成され、このヒートシール用フランジ２ｂがヒートシールによってシート３，３に密着する。注出口部材２におけるヒートシール用フランジ２ｂよりも上側には支持用フランジ２ｃが形成される。袋１を各種処理に付する際に、必要に応じてこの支持用フランジ２ｃが使用される。
【０１１２】
この実施の形態３の場合、注出口部材２の袋外側における開口は、あらかじめ易開封シート２ｄで密封されている。
【０１１３】
ただし、注出口部材２は、易開封シート２ｄの上からキャップ２ｅが被せられ、このキャップが注出口部材２の回りに螺合したものであってもよい。すなわち、注出口部材２は、その本体とキャップ２ｅとが別体として作られた後に組み合わせられたいわゆる２ピース型のものであってもよい。あるいは、注出口部材２の開口が引きちぎり用薄肉部を介して密封する密封片によって遮蔽され、易開封シート２ｄ及びキャップ２ｅが省略されたいわゆる１ピース型のものであってもよい（図示せず）。
【０１１４】
無菌袋詰め装置では、次に示す工程（Ｉ）〜（Ｖ）を経て図６（Ｂ）に示すような無菌の袋詰め製品が作られる。
【０１１５】
（Ｉ）多数の注出口部材２を入れた通気性のある注出口部材収納容器４を、殺菌チャンバー５内に入れ、殺菌チャンバー５に対する真空化と、過酸化水素のガスの導入と、無菌エアの導入とを順に行うことによって注出口部材２を注出口部材収納容器４と共に殺菌処理する注出口部材殺菌工程。
【０１１６】
（ＩＩ）殺菌処理後の注出口部材２を注出口部材収納容器４ごと無菌包装チャンバー６内に導入し、注出口部材収納容器４から注出口部材２を送り出す注出口部材供給工程。
【０１１７】
（ＩＩＩ）袋用連続シート７を走行させつつ過酸化水素水で殺菌した後、上記無菌包装チャンバー６内に導入し、製袋しつつ上記殺菌処理後の注出口部材２を各袋１に固定する製袋工程。
【０１１８】
（ＩＶ）製袋された袋１に内容物を充填する充填工程。
【０１１９】
（Ｖ）内容物が充填された袋１を密封する密封工程。
【０１２０】
上記工程（Ｉ）で使用するために用意される注出口部材収納容器４は、図７及び図８に示すように、実施の形態１，２の場合と同様な構造である。
【０１２１】
ただし、この場合注出口部材収納容器４に投入される注出口部材２は、易開封シート２ｄで開口が閉塞された状態にある。
【０１２２】
上記工程（Ｉ）で使用される殺菌チャンバー５、上記工程（ＩＩ）で使用される無菌包装チャンバー６、上記工程（ＩＩＩ）で使用される製袋機、及び上記工程（ＩＶ）（Ｖ）で使用される搬送手段としてのロボット１５、ターレット１６、搬出用コンベア１７等は、実施の形態１，２の場合と概ね同様な構造であるから、それらの詳細な説明は省略する。
【０１２３】
ただし、この実施の形態３において上記工程（ＩＶ）（Ｖ）で使用されるロボット１５は、製袋機から送り出される図６（Ａ）に示したような袋１を、図８に示すように、注出口部材２が下向きになった倒立状態で取り出すように動作する。
【０１２４】
また、ターレット１６の各旋回アームの回りには、注出口部材２が下向きになった袋１の左右の縦ヒートシール部１ｂ，１ｃを掴むことにより、袋１を逆さまに保持するクランパ１６ａが配置される。
【０１２５】
ターレット１６の周りにおける上記ロボット１５の位置から搬出用コンベア１７の位置に至るまでの各間欠停止位置には、旋回アームのクランパ１６ａに保持された袋１に内容物を充填する工程（ＩＶ）に対応した充填手段と、内容物が充填された袋１を密封する密封手段とが設けられる。
【０１２６】
充填手段は、クランパ１６ａにより保持された袋１の未シール部１ｅを図示しないサッカーで吸着して袋１のシート３，３間を拡開し、開口を形成するオープナーと、未シール部１ｅから袋１内に内容物を充填する充填ノズル１８とを具備する。オープナーや充填ノズル１８はターレット１６の所望の間欠停止位置に配置される。オープナーは公知の構造であるから、詳細な説明は省略する。
【０１２７】
密封手段は、図示しないが、袋１の未シール部１ｅを二度にわたってヒートシールし、下横ヒートシール部１ｄを形成する第一のヒートシーラー及び第二のヒートシーラーと、下横ヒートシール部１ｄを冷却するクーラーとを具備する。ヒートシーラーやクーラーはターレット１６の所望の間欠停止位置に配置される。ヒートシーラー及びクーラーは公知の構造であるから、詳細な説明は省略する。
【０１２８】
ターレット１６の旋回方向に見て密封手段の下流側におけるステーションには、密封された袋１をターレット１６のクランパ１６ａから受け取って無菌包装チャンバー６外へと搬出する搬出用コンベア１７が設けられる。
【０１２９】
無菌包装チャンバー６外には、易開封シート２ｄで閉じられた注出口部材２に易開封シート２ｄの上からキャップ２ｅを螺着する図示しないキャッパーが設けられる。袋１がこのキャッパーを通過することにより、図６（Ｂ）に示す袋１である無菌の袋詰め製品が完成する。
【０１３０】
次に、上記無菌袋詰め装置の作用について説明する。
【０１３１】
（１）図６（Ａ）に示した注出口部材２が、袋１に装着される前の状態で、図７及び図８に示す注出口部材収納容器４内に多数個入れられる。
【０１３２】
（２）実施の形態１の場合と同様にして、注出口部材収納容器４内の注出口部材２が、注出口部材収納容器４ごとむらなく殺菌され、無菌包装チャンバー６内に移送される。また、製袋機によって袋本体が作られ、この袋本体に注出口部材２が供給されることによって、図６（Ａ）に示す袋１が製造される。この袋１は、図８に示すように、ロボット１５によって、注出口部材２が下向きになった倒立状態とされたうえでターレット１６へ渡される。
【０１３３】
（３）ターレット１６はロボット１５から渡される倒立状態の袋１を旋回アームのクランパ１６ａで受け取り、図７中矢印方向に旋回する。
【０１３４】
（４）ターレット１６は所定角度ずつ間欠的に旋回し、クランパ１６ａで把持された袋１が一時停止すると、オープナーによって袋１の上向きになった未シール部１ｅが拡開され、そこに開口が形成される。続いて、充填ノズル１８が袋１の開口に正対し、又は開口から袋１内に侵入し、充填ノズル１８から所定量の内容物が袋１内に充填される。
【０１３５】
（５）上記クランパ１６ａが、続く三か所の各ステーションに停止すると、第一のヒートシーラー及び第二のヒートシーラーによって、上記未シール部１ｅが二度にわたってヒートシールされ、さらに、このヒートシールされた箇所がクーラーによって冷却される。これにより、袋１が無菌状態で密封される。
【０１３６】
（６）上記クランパ１６ａが次のステーションに停止すると、密封された袋１がクランパ１６ａから解放され、搬出用コンベア１７によって受け取られて無菌包装チャンバー６外へと搬出される。
【０１３７】
（７）無菌包装チャンバー６外へと搬出された袋１の注出口部材２に、図示しないキャッパーによってキャップ２ｅが螺着される。
【０１３８】
これにより、図６（Ｂ）に示す無菌の袋詰め製品が完成する。
【０１３９】
（８）以後、上記（１）〜（７）の動作が繰り返されて袋詰め製品の生産が続行される。
【０１４０】
なお、実施の形態３において、実施の形態１、２の場合と同じ個所には同じ符号を付して示し、重複した説明を省略する。
【実施例】
【０１４１】
上記殺菌チャンバーを用いて、注出口部材の殺菌効果及び残留過酸化水素についての試験を以下のように行った。
【０１４２】
１．試験のサンプルは次の四通りとした。
(1)  １ピース型の注出口部材
(2)  ２ピース型の注出口部材
(3)  ２ピース型の注出口部材のキャップ
(4)  開口を易開封性シートで閉じた２ピース型の注出口部材
【０１４３】
２．処理条件は次の通りである。
(1)  滅菌機として、上記殺菌チャンバーと同様な構造を有する市販の過酸化水素ガス滅菌装置を用いた。
(2)  処理条件
(i)  上記四通りのサンプルを各々１０００個ずつ注出口部材収納容器に入れた。注出口部材収納容器は、各辺の長さが２５０ｍｍである立方体のカゴとした。
(ii)  サンプルをカゴに入れる前に、サンプルの所定箇所に直接、菌を塗布した。ｎ数は、サンプルの種類別に５とした。
(iii)  殺菌処理は、過酸化水素ガス滅菌装置の標準的な条件によって行った。
(3)  菌付け箇所
(i)   １ピース型の注出口部材：外表面における天面、側面の四か所、及び開口端面、内表面における最奥部
(ii)  ２ピース型の注出口部材：「外表面」におけるネジ山の四か所、支持用フランジの表裏各二か所、及びヒートシール用フランジの四か所、「内表面」における中央部側面の一か所
(iii)  ２ピース型の注出口部材のキャップ：「外表面」における天面、側面の四か所、及び開口端面、「内表面」における天面
(iv)   開口を易開封性シートで閉じた２ピース型の注出口部材：上記(ii)と同じ
(4)  菌付け
(i)   菌種：B.atrophaeus ATCC9372
(ii)  菌数：2.5×105ケ／spot
(5)  残留過酸化水素量
抽出したサンプルの空洞内に満注量の純水を入れ、5分間放置後、純水中に溶出した過酸化水素量を酸素電極法により測定した。
なお、開口を易開封性シートで閉じていない２ピース型の注出口部材については、殺菌処理直後に開口を易開封性シートで閉じ、満注量の純水を入れることにより測定した。
【０１４４】
３．結果
(1)  殺菌評価
表１〜表４より明らかなように、いずれのサンプルについても６以上の殺菌効果を確認することができた。
【０１４５】
【表１】
2017036055.tif 000003
【０１４６】
【表２】
2017036055.tif 000004
【０１４７】
【表３】
2017036055.tif 000005
【０１４８】
【表４】
2017036055.tif 000006
【０１４９】
(2)  残留過酸化水素量
いずれのサンプルにおいても内表面における残留過酸化水素量は、１ｍｌ当たり０．５ｐｐｍ未満であった。充填量１００ｍｌの製品に換算すると、１ｍｌ当たり０．００５ｐｐｍ未満であるから、製品全体での残留過酸化水素量は極めて微量であることが分かる。
【符号の説明】
【０１５０】
１…袋
１ｅ…未シール部
２…注出口部材
２ｄ…易開封シート
２ｅ…キャップ
４…注出口部材収納容器
５…殺菌チャンバー
６…無菌包装チャンバー
７…袋用連続シート
【図１】
2017036055.tif 000007
【図２】
2017036055.tif 000008
【図３】
2017036055.tif 000009
【図４】
2017036055.tif 000010
【図５】
2017036055.tif 000011
【図６】
2017036055.tif 000012
【図７】
2017036055.tif 000013
【図８】
2017036055.tif 000014